(57)【特許請求の範囲】
【請求項１】
ランドセル本体を背負うための左右一対の背負いベルトと、
前記ランドセル本体の背板に配設され背環と、
この背環に揺動可能に配設され前記ランドセル本体を背負うユーザーの背中に対向する対向面をほぼ平坦面に形成した弾性を有する左右一対の揺動アームと、
前記ユーザーの背中に対向する前記揺動アームの背中対向面の背面下部に一体に形成されたスリーブと、
前記背負いベルトの長手方向一端部に配設されて前記スリーブの軸方向開口両端部内に挿脱可能に挿入されて連結される一対の切欠端部を有する金属製の連結環と、
を具備し、
前記連結環は、前記一対の切欠端部を前記スリーブの軸方向開口両端部内に挿入してからこれら一対の切欠端部どうし間の開口を縮小させるように狭圧されてこのスリーブに連結されてなり、
前記背負いベルトが前記ランドセル本体の背板側へ傾倒されたときに、この背負いベルトの上部が前記揺動アームの上端に当接されることにより、この背負いベルトの上部を揺動アームの上端よりも上方に立ち上げるように形成していることを特徴とするランドセル。
【請求項２】
前記一対の揺動アームは、前記スリーブ内にブシュを配設していることを特徴とする請求項１記載のランドセル。
【請求項３】
前記一対の揺動アームは、ポリエステル系エラストマー製であることを特徴とする請求項１または２記載のランドセル。
【請求項４】
前記一対の揺動アームは、前記背面に複数の小円形突起を形成していることを特徴とする請求項１から３のいずれか１項に記載のランドセル。
【発明の詳細な説明】
【技術分野】
【０００１】
本発明の実施形態は、ランドセルに関する。
【背景技術】
【０００２】
従来のランドセルでは、児童等のユーザが左右一対の背負いベルトに腕を通して両肩に掛け、ランドセルを背中に担いだときに、ランドセルが下方に垂れ下がり易いので、ランドセルが重く感じられることが多かった。また、ユーザがランドセルを担ぐ前は、左右一対の背負いベルトが下方に垂れ下がっているので、これら一対の背負いベルトにユーザが腕を通し難く、ランドセルが担ぎにくいという課題もあった。
【０００３】
そこで、従来のランドセルの中には、背負いベルトの上部を上方に若干立ち上げ、その状態を保持することにより、腕を通し易くすると共に、ランドセルをユーザの背中に密着するようにしたものが種々提案されている（例えば、特許文献１，２，３参照）。
【先行技術文献】
【特許文献】
【０００４】
【特許文献１】特開２００４−２３７０７２号公報
【特許文献２】特開２００４−８１８００号公報
【特許文献３】実用新案登録第３１５７５９１号公報
【発明の概要】
【発明が解決しようとする課題】
【０００５】
しかしながら、上記特許文献１〜３記載の発明では、背環の揺動アーム等の連結体に設けた連結環に、長い一対の背負いベルト（肩掛けベルト）を連結してから、背環をランドセル本体に取り付けている。
【０００６】
すなわち、揺動アーム等の連結体に付設された連結環の環状挿通孔内に、左右一対の背負いベルトの一端部を挿通して折り返し、この折返端部をリベット止めにより固定する。このために、折返端部の裏面側では、打ち込まれたリベットの挿通先端部を受けてかしめる受け金具が必要になる。
【０００７】
この背負いベルトのリベット止め部は、ランドセル本体の背板上に位置するために、背環をランドセル本体の背板上に配設した後にリベット止めする場合には、このランドセル本体の軟弱な背板上に直接リベット受け金具を配置し、打ち込められたリベットを受け止めてこのリベットの挿通先端部をかしめる作業が必要になる。このために、このリベット止め作業が極めて困難になる。
【０００８】
そこで、従来は、背負いベルトを背環の揺動アームの連結環に連結してから、この背環をランドセル本体に取り付けていた。
【０００９】
しかし、これでは、長い左右一対の背負いベルトが背環に取り付けられたままの長尺状態でランドセル組立ライン上を流れるために、広い組立スペースが必要になるうえに、流れている際に周囲の設備や機器または作業員に衝当して機器や作業員に損傷を与える等、組立作業性を低下させる虞が高いという課題がある。
【００１０】
本発明の解決課題は、ランドセル本体に背環を取り付けた後に、この背環の揺動アーム等の連結体に、背負いベルトを取り付けることができるランドセルを提供することにある。
【課題を解決するための手段】
【００１１】
本実施形態に係るランドセルは、ランドセル本体を背負うための左右一対の背負いベルトと、ランドセル本体の背板に配設され背環と、この背環に揺動可能に配設されランドセル本体を背負うユーザーの背中に対向する対向面をほぼ平坦面に形成した弾性を有する左右一対の揺動アームと、ユーザーの背中に対向する揺動アームの背中対向面の背面下部に一体に形成されたスリーブと、背負いベルトの長手方向一端部に配設されてスリーブの軸方向開口両端部内に挿脱可能に挿入されて連結される一対の切欠端部を有する金属製の連結環と、を具備している。連結環は、一対の切欠端部をスリーブの軸方向開口両端部内に挿入してからこれら一対の切欠端部どうし間の開口を縮小させるように狭圧されてこのスリーブに連結されてなり、背負いベルトがランドセル本体の背板側へ傾倒されたときに、この背負いベルトの上部が揺動アームの上端に当接されることにより、この背負いベルトの上部を揺動アームの上端よりも上方に立ち上げるように形成していることを特徴とするランドセル。
【発明の効果】
【００１２】
本実施形態によれば、左右一対の揺動アームのスリーブの軸方向開口両端部内に、左右一対の背負いベルトの長手方向一端部に取り付けられた金属製の連結環の一対の切欠端部を挿入することにより連結することができる。
【００１３】
したがって、背環をランドセル本体に取り付けた後にも、この背環の一対の揺動アームに一対の背負いベルトを連結環により連結することができる。
【図面の簡単な説明】
【００１４】
【図１】本発明の一実施形態に係るランドセルの一部を縦断面で示す要部背面図。
【図２】図１で示す要部を有する一実施形態の全体の背板側の正面図。
【図３】図２で示す一実施形態の上部拡大正面図。
【図４】（ａ）は図２で示す背環の正面図、（ｂ）は同，（ａ）の一部分解右側面図。
【図５】図４（ａ）で示す背環の背面図。
【図６】（ａ）は図４（ａ）で示す背環の一部縦断面図、（ｂ）は同（ａ）のＶＩｂ−ＶＩｂ線断面図。
【図７】（ａ）は図１〜３で示す連結環の挿通部を、背負いベルトの折返端部の挿通用間隙内に挿通して配設した状態を一部断面で示す要部背面図、（ｂ）は同（ａ）で示す連結環の一対の切欠端部の一方を揺動アームのスリーブとブシュの軸方向開口両端部の一方内に挿入した状態を一部断面で示す要部背面図。
【図８】（ａ）は同，連結環の他方の切欠端部を揺動アームのスリーブの軸方向開口両端部の他方内に挿入しようとする状態を一部断面で示す要部背面図、（ｂ）は同，（ａ）で示す連結環の他方の切欠端部を、同スリーブとブシュの軸方向開口両端部内に挿入して連結した状態を一部断面で示す要部背面図。
【図９】（ａ）は図１の裏面，すなわち，正面から見たときの本実施形態の要部拡大正面図、（ｂ）は同（ａ）の側面図。
【図１０】（ａ）は図１〜図８で示す本実施形態の揺動アームがユーザの背中側へ弾性的に湾曲する状態を示す側面図、（ｂ）はユーザが背負いベルトを持ってランドセル本体をぶら下げたときの揺動アームの撓曲状態を示す側面図。
【発明を実施するための形態】
【００１５】
以下、本発明の実施形態を図面に基づいて説明する。なお、複数の図面中、同一または相当部分には同一符号を付している。
【００１６】
図２は一実施形態に係るランドセルの背面側のほぼ全体を示す正面図、図３は、同，背面側の上部を示す上部拡大正面図、図４（ａ）は図２，３で示す背環の拡大正面図、（ｂ）は同（ａ）で示す背環の補強板を取り外した状態の右側面図である。
【００１７】
これら図２，３に示すようにランドセル１は、皮革製または合成樹脂製等の有蓋有底角筒状のランドセル本体２の背板３の上部中央部上に、背環４を配設している。背環４は、左右一対の背負いベルト５，６の各長手方向一端部（図１では上端部）を取り付けるものであり、正面形状がほぼ横長楕円状の合成樹脂製の本体ケース７と、この本体ケース７内で左右方向に揺動可能に配設される合成樹脂製（例えばポリエステル系エラストマー）の左右一対の揺動アーム８，９と、これら揺動アーム８，９の相互の中間部にて、これら一対の揺動アーム８，９の背後に配設される金属製の吊り環１０とを具備している。吊り環１０は、例えばランドセル１を吊持する図示省略のフック等に掛止されて吊持される。
【００１８】
図５（ａ）は背環４の背面図、図６（ａ）は背環４の内部構成を示す一部縦断面図、図６（ｂ）は同（ａ）のＶＩｂ−ＶＩｂ線断面図である。図４（ａ），図６（ａ）に示すように背環４の本体ケース７は、その図中上端部の左右両端部にてそれぞれ開口する左右一対の上部開口部７ａ，７ａ、ランドセル本体２の背板３の上部中央部に固定される有底偏平角筒状の合成樹脂製のベース７ｂ、このベース７ｂの図４（ａ）中手前側の正面を開口させた正面開口部７ｃおよびこの正面開口７ｃを閉じる図４（ａ）で示す合成樹脂製の本体蓋であるフロントカバー７ｄを有する。
【００１９】
図６（ｂ）に示すようにベース７ｂは、その正面開口部７ｃの開口縁部のほぼ左右両側面部と底部とに、図６（ａ）中、手前（正面）側に若干突出する内嵌合壁７ｅを一体に形成している。
【００２０】
一方、図６（ｂ）に示すようにフロントカバー７ｄは、その外周縁部に、ベース７ｂの内嵌合壁７ｅに突合される外嵌壁７ｆを一体に連成している。
【００２１】
図４（ａ）に示すようにフロントカバー７ｄの外面上部には、円弧板状の補強板１１を、複数、例えば３個の止めねじ１２，１２，１２によりねじ止めして本体ケース７の強度の補強を図っている。補強板１１は、合成樹脂製の補強板本体１１ａの前面に、鉄やステンレス、アルミニウム板等の金属製帯板状の複数のメタルバー１１ｂ，１１ｂを埋設して補強板本体１１ａ自体の強度の補強を図っている。なお、補強板１１は、フロントカバー７ｄの内面に添設される図示省略の円弧板状のバックプレートを介して複数の止めねじ１２，１２，…によりフロントカバー７ｄに取り付けられる。
【００２２】
図１〜図６に示すように左右一対の揺動アーム８，９は、合成樹脂製の所定厚の一枚板によりそれぞれ形成されたアーム本体８ａ，９ａを有する。
【００２３】
図６（ａ），（ｂ）に示すように各アーム本体８ａ，９ａは、本体ケース７の左右一対の上部開口部７ａ，７ａからその内部へほぼ垂直に延伸するアーム内端部８ｂ，９ｂと、上部開口部７ａ，７ａから本体ケース７の外部へ延伸するアーム外端部８ｃ，９ｃとを合成樹脂によりそれぞれ一体に連成している。
【００２４】
図４（ｂ），図６（ｂ）に示すように、各アーム外端部８ｃ，９ｃはランドセル本体２を児童等ユーザが背負ったときの当該児童の背中側へ接近するように所要角で前傾している。また、各アームの外端部８ｃ，９ｃは、児童の背中に対向する背中対向面８ｄ，９ｄ、すなわち、正面の上部に、上部が外方に凸の円弧状のほぼ矩形環状の装飾用の溝１３を形成している。この溝１３は省略してもよい。
【００２５】
一方、各アーム内端部８ｂ，９ｂは、ほぼ垂直に立ち上がるように直状に形成される。各アーム内端部８ｂ，９ｂには、左右一対のアーム本体８ａ，９ａを左右に揺動可能に支持する支軸１４，１５をそれぞれ挿通させる座ぐりを有する挿通孔１４ａ，１５ａを設けている。
【００２６】
図６（ｂ）に示すように各支軸１４，１５は、ベース７ｂの図中内側面からフロントカバー７ｄ側へほぼ垂直に突出して各アーム本体８ａ，９ａの各挿通孔１４ａ，１５ａ内を挿通する円筒状のベース取付ボス７ｇと、フロントカバー７ｄの図中内側面からベース７ｂ側へほぼ垂直に突出し、円筒状のベース取付ボス７ｇの挿通孔内に嵌入するカバー取付ボス７ｈと、これら取付ボス７ｇ，７ｈを嵌合して連結した状態でねじ止めする図示省略の止めねじとにより構成される。
【００２７】
すなわち、これらベース取付ボス７ｇをカバー取付ボス７ｈの挿通孔内に嵌入して連結した後、支軸１４，１５を、ベース取付ボス７ｇの背面のねじ孔からそれぞれねじ込むことにより、ベース取付ボス７ｇとカバー取付ボス７ｈとの連結状態を固着して、ベース７ｂとフロントカバー７ｄとを締結している。
【００２８】
そして、各アーム内端部８ｂ，９ｂは、その各左右側端部に、その外側方へそれぞれ突出するほぼ三角形状のストッパ用突部８ｄ，８ｅ、９ｄ，９ｅをそれぞれ一体に連成している。
【００２９】
これら各ストッパ用突部８ｄ，８ｅ、９ｄ，９ｅは、本体ケース７内に配設された左右２組のストッパ１６ａと１６ｂ、１６ｃと１６ｄに、それぞれ当接することにより、各揺動アーム８，９の左右方向の揺動角がそれぞれ所定角度に規制される。
【００３０】
これらストッパ１６ａ，１６ｂ，１６ｃ，１６ｄは、左右一対の揺動アーム８，９の図中左右両側において、所要の間隔を置いて本体ケース７のベース７ｂの内側面に一体に突設された突部（リブ）により構成されている。
【００３１】
そして、各アーム内端部８ｂ，９ｂは、その図中下端部に、図中横方向に突出するほぼ三角形状の係止突部８ｆ，９ｆをそれぞれ一体に突設している。
【００３２】
これら左右一対の係止突部８ｆ，９ｆには、図中縦方向に配設された左右一対の圧縮コイルばね１７，１８の各下端に設けた角筒状の摺動端子１７ａ，１８ａの半球状外端面をそれぞれ当接させている。これら圧縮コイルばね１７，１８は、係止突部８ｆ，９ｆを図中下方へ常時弾性的に押圧して、左右一対のアーム外端部８ｃ，９ｃが互いに接近する位置に付勢する。
【００３３】
各摺動端子１７ａ，１８ａは、合成樹脂により角筒状に形成され、圧縮コイルばね１７，１８の図中下端にそれぞれ結合され、摺動可能に配設される。左右一対の圧縮コイルばね１７，１８は、ベース７ｂの内側面に形成した縦孔内に収容され、各上端が固定されている。
【００３４】
そして、図２（ａ），（ｂ）に示すように各揺動アーム８，９は、アーム本体８ａ，９ａのアーム外端部８ｃ，９ｃの表面、すなわち、ランドセル１を背負ったときの児童の背中側に対向する背中対向面８ｄ，９ｄを平坦面に形成している。
【００３５】
そして、図４（ｂ），図５に示すように各揺動アーム８，９は、各アーム外端部８ｃ，９ｃの背中対向面８ｄ，９ｄ（正面）の背面側の一部に、左右一対のほぼ円筒状のスリーブ１９，２０を一体に連成している。これらスリーブ１９，２０は、各アーム外端部８ｃ，９ｃの背面（背中対向面８ｄ，９ｄの裏面）に、その上端よりも下方の下部にて、横方向（アーム外端部８ｃ，９ｃの幅方向）に一体に連成されている。
【００３６】
各スリーブ１９，２０は、各アーム外端部８ｃ，９ｃの幅方向両端まで延在し、その軸心部に、円形の挿通孔１９ａ，２０ａをそれぞれ形成している。これら挿通孔１９ａ，２０ａは、その軸方向両端を、それぞれ開口１９ｂ，１９ｃ、２０ｂ，２０ｃさせている。
【００３７】
そして、図７（ａ）〜図８（ｂ）にも示すように各スリーブ１９，２０は、その各挿通孔１９ａ，２０ａ内に、これら挿通孔１９ａ，２０ａよりも軸長が若干短いステンレス（ＳＵＳ）等の金属製の円筒状のブシュ２１，２２を圧入等によりそれぞれ挿入し、各挿通孔１９ａ，２０ａの軸方向中間部内に固定している。
【００３８】
また、各アーム外端部８ｃ，９ｃは、その背面に、各スリーブ１９，２０よりも上方の上部にて、外方に凸の小径半球状の複数の凸丸ｍ，ｍ，…を一体に突設している。これら複数の凸丸ｍ，ｍ，…は、例えば各アーム外端部８ｃ，９ｃの図５中上方に凸の円弧状上端部の内側にて、複数列、例えば２列で所要の間隔を置いて配設されている。
【００３９】
次に、図７（ａ）〜図８（ｂ）に基づいて、左右一対のアーム外端部８ｃ，９ｃに左右一対の背負いベルト５，６を連結する方法について説明する。
【００４０】
図７（ａ）〜図８（ｂ）に示すように左右一対の背負いベルト５，６は、各アーム外端部８ｃ，９ｃに連結されるべき長手方向一端部を所要長折り返して折返端部５ａ，６ａを形成している。各折返端部５ａ，６ａは、その幅方向中央部にリベット２３，２３を打設することによりそれぞれ固着すると共に、幅方向（図中縦方向）に、ミシン糸２４によりそれぞれ縫着することにより、折返端部５ａ，６ａ内にほぼ長円筒状の挿通用間隙２５をそれぞれ形成している。図７（ａ）〜図８（ｂ）では、挿通用間隙２５がその長手方向に貫通する間隙であることを強調するために、挿通用間隙２５の内側（リベット２３）の側壁断面を図示しているが、実際には表われない。
【００４１】
各挿通用間隙２５は、各背負いベルト５，６の折返端部５ａ，６ａの幅方向両端まで延在し、その両端をそれぞれ開口させることにより開口端２５ａ，２５ｂに形成している。
【００４２】
折返端部５ａ，６ａは、各挿通用間隙２５内に、塑性変形可能な金属製の矩形Ｃ字状の連結環２６の挿通部２６ａを挿通させることにより、連結環２６を保持している。連結環２６は、金属製矩形環状の連結環本体２６ｂと、その一部を所要長切り欠いた図７（ａ）〜図８（ｂ）中上下一対の切欠端部２６ｃ，２６ｄと、この切欠端部２６ｃ，２６ｄに対向する対向辺部であって、上記挿通用間隙２５内に挿通されるほぼ直状挿通部２６ａと、連結環本体２６ｂにより囲まれた矩形Ｃ字状の透孔２６ｅを具備している。
【００４３】
まず、図７（ａ）に示すように連結環２６の挿通部２６ａを、背負いベルト５，６に、その各折返端部５ａ，６ａの挿通用間隙２５内に挿通した状態で取り付ける。
【００４４】
すなわち、背負いベルト５，６の長手方向一端部を各連結環２６の矩形Ｃ字状の透孔２６ｅ内を挿通してから所要長折り返し、その折返端部の重ね合せ部をミシン糸２４等により縫着すると共に、リベット２３をそれぞれ打ち込み固着する。このリベット打込み時には、その打込みの裏面側に、リベット２３の打込み挿通先端部を受けてかしめる図示省略の受け金具を配置する。
【００４５】
このとき、連結環２６は、その図中上下一対の切欠端部２６ｃ，２６ｄの開口を、各アーム外端部８ｃ，９ｃのスリーブ２０内の、例えばブシュ２２の長さよりも若干長くなるように拡開されている。
【００４６】
次に、図７（ｂ）に示すように、この連結環２６をアーム外端部８ｃ，９ｃのスリーブ１９，２０に連結する工程に移行するが、この連結工程の前に、一対の揺動アーム８，９を備えた背環４はランドセル本体２に既に取り付けられている。連結環２６は、一対の切欠端部２６ｃ，２６ｄの一方、例えば２６ｄを、各アーム外端部８ｃ，９ｃのスリーブ２０の一対の開口端２０ｂ，２０ｃの一方、例えば２０ｃと、この開口端２０ｃと同一側のブシュ２２の開口端内に挿入する。
【００４７】
この後、図８（ａ）に示すように連結環２６は、その他方の切欠端部２６ｃを図示省略のプライヤー等の工具により塑性変形させて、各アーム外端部８ｃ，９ｃのスリーブ２０の他方の開口端２０ｂとブシュ２２の同一側の開口端内に挿入する。
【００４８】
次に、図８（ｂ）に示すように連結環２６の一対の切欠端部２６ｃ，２６ｄの両外端部を、その外側から内側へ所要の図示省略の工具により挟圧することにより、これら一対の切欠端部２６ｃ，２６ｄの開口が縮小するように塑性変形させる。
【００４９】
これにより、各背負いベルト５，６の折返端部５ａ，６ａがスリーブ１９，２０の各挿通孔１９ａ，２０ａとブシュ２１，２２の軸方向両開端部１９ｂ，１９ｃ、２０ｂ，２０ｃ内へより深く挿入される。その結果、一対の背負いベルト５，６の折返端部５ａ，６ａ側が各連結環２６を介して各揺動アーム８，９に連結される。図９（ａ）はこの連結状態の要部正面図、図９（ｂ）はその側面を示す要部側面図である。なお、背負いベルト５，６の折返端部５ａ，６ａの長手方向反対側の他端部は、ランドセル本体２の底部に固定された図示しないダルマ環に連結されている。
【００５０】
そして、図１０（ａ）は図２で示す図中左右一対の背負いベルト５，６を背環４側へ傾倒させてランドセル１を背負うときの状態を示しており、左右一対の背負いベルト５，６の図中上部が、左右一対のアーム外端部８ｃ，９ｃの背面（図１０（ａ），（ｂ）では右側面）に当接して若干上方へ立ち上げられている状態を示している。
【００５１】
このように左右一対の背負いベルト５，６の図中上部が立ち上げられているので、児童等のユーザがこれら一対の背負いベルト５，６の内側に腕を通し易くなり、両肩に担ぎ易くなる。
【００５２】
また、一対の背負いベルト５，６を上方へ若干立ち上げているために、ランドセル本体２を高い位置で背負うことができる。このために、ランドセル本体２を児童の背中に密着させた状態でランドセル１を担ぐことができるので、ランドセル１を軽く感じさせることができ、その分、担ぎ易さの向上を図ることができる。
【００５３】
また、児童がランドセル１を担いでいるときに、万一髪の毛がアーム外端部８ｃ，９ｃの背面と背負いベルト５，６の間隙に侵入した場合には、髪の毛が複数の凸丸，ｍ，…同士間の間隙に分散されるので、髪の毛が挟まれて引っ張られることを低減できる。
【００５４】
さらに、凸丸ｍ，ｍ，…の頂端面と背負いベルト５，６との当接面に髪の毛が挟まる場合には、各凸丸２３の頂端面が小径の球面に形成されているので、背負いベルト５，６との当接面積が非常に小さく、点状に接触するに過ぎないので、髪の毛が挟まるような状態をさらに低減し、安全・安心性の向上を高めることができる。
【００５５】
また、児童が背負いベルト５，６を把んでランドセル本体２を下方にぶら下げた場合には、図１０（ｂ）に示すように揺動アーム８，９全体が弾性的に撓曲するので、揺動アーム８，９の破損を低減できる。
【００５６】
そして、このランドセル１によれば、背環４の一対の揺動アーム８，９に、一対の背負いベルト５，６を連結環２６により連結するので、背環４をランドセル本体２に取り付ける作業と、一対の背負いベルト５，６の折返端部５ａ，６ａに、連結環２６を取り付ける作業とを別々に行うことができる。
【００５７】
このために、背負いベルト５，６の折返端部５ａ，６ａにリベット２３を打ち込む際に、その打込み面の裏面側のスペースを大きく確保できるので、この裏面側のスペースにリベット２３の打込み先端部を受けてかしめる受け金具を配置してリベット２３，２３を打込むことができる。すなわち、本実施形態によれば、かしめ用受け金具を従来例のようにランドセル本体２上に配置してリベット打ちする必要がないので、リベット２３の打込み作業の作業性の向上と打込み精度の向上とを共に図ることができる。
【００５８】
また、従来例のように、予め背環４の揺動アーム８，９に一対の背負いベルト５，６を取り付けてから、この背環４をランドセル本体２に取り付ける必要もないので、背環４に一対の背負いベルト５，６を取り付けた長尺状態で組立ライン上に流すことを回避できる。
【００５９】
その結果、組立ラインを含む作業スペースの節約を図ることができるうえに、互いに連結された背環４と一対の背負いベルト５，６が組立ライン上を流れているときに、その組立ラインの周辺機器や作業員等に衝当して破損や怪我を発生させることを低減できる。
【００６０】
そして、連結環２６による左右一対の揺動アーム８，９と左右一対の背負いベルト５，６との連結は、これら揺動アーム８，９の背中対向面８ｄ，９ｄの裏面側で行うので、これら連結部が児童の背中等に当接して擦れ、痛感を与える事態を回避できる。
【００６１】
さらに、背環４は一対の背負いベルト５，６を取り付ける前の単独状態でランドセル本体２に取り付けられるので、一対の背負いベルト５，６に干渉されずにランドセル本体２に取り付けることができる。このために、この背環４の取付作業の作業性の向上と取付精度の向上とを図ることができる。
【００６２】
また、このランドセル１によれば、アーム外端部８ｃ，９ｃの背中対向面８ｄ，９ｄ、すなわち、正面をほぼ平坦面に形成しているので、背中対向面８ｄ，９ｄに児童の背中が当っても痛感を与えることが殆どなく、安全・安心性の向上を図ることができる。なお、アーム外端部８ｃ，９ｃの背中対向面８ｄ，９ｄに形成した装飾用の溝１３は削除してもよい。これによれば、背中対向面８ｄ，９ｄの平面性をさらに高めるので、さらなる安全・安心性の向上を図ることができる。
【００６３】
以上、本発明の種々の実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００６４】
１…ランドセル、２…ランドセル本体、３…背板、４…背環、５，６…左右一対の背負いベルト、５ａ，６ａ…折返端部、８，９…左右一対の揺動アーム、８ａ，９ａ…アーム本体、８ｂ，９ｂ…アーム内端部、８ｃ，９ｃ…アーム外端部、８ｄ，９ｄ…背中対向面、１９，２０…スリーブ、１９ａ，２０ａ…挿通孔、２１，２２…ブシュ、２３…リベット、２５…挿通用間隙、２６…連結環、２６ａ…挿通部、２６ｂ…連結環本体、２６ｃ，２６ｄ…一対の切欠端部。
【要約】      （修正有）【課題】ランドセル本体に背環を取り付けた後に、この背環の揺動アーム等の連結体に、背負いベルトを取り付けることができるランドセルを提供する。【解決手段】ランドセル本体を背負うための左右一対の背負いベルト５，６と、ランドセル本体の背板に配設された背環４と、この背環に揺動可能に配設された弾性を有する左右一対の揺動アーム８，９と、ユーザの背中に対向する揺動アームの背中対向面の背面下部に形成されたスリーブ１９，２０と、背負いベルトの長手方向一端部に配設されてスリーブの軸方向開口両端部内に挿脱可能に挿入されて連結される一対の切欠端部２６ｃ，２６ｄを有する金属製の連結環２６と、を具備している。また、背負いベルトがランドセル本体の背板側へ傾倒されたときに、この背負いベルトの上部が揺動アームの上端に当接されることにより、この背負いベルトの上部を揺動アームの上端よりも上方に立ち上げるように形成している。【選択図】図１【図１】
0005914741.tif 000002
【図２】
0005914741.tif 000003
【図３】
0005914741.tif 000004
【図４】
0005914741.tif 000005
【図５】
0005914741.tif 000006
【図６】
0005914741.tif 000007
【図７】
0005914741.tif 000008
【図８】
0005914741.tif 000009
【図９】
0005914741.tif 000010
【図１０】
0005914741.tif 000011